(57)【要約】      （修正有）【課題】リング形成部材の基端部を軸支する軸受け部分やばねといった煩雑な部分を隠すことができるリングとじ具とリングとじ具を備えたリングファイルを提供する。【解決手段】ベース３と、このベースに基端部を支持され先端部７２Ｆ、７２Ｂに第１の係合部分を有した第１のリング形成部材６Ｆ、６Ｂと、ベースに基端部を支持されるとともに先端部に第２の係合部分を有しその第２の係合部分が第１の係合部分に係合する閉じ姿勢からその係合が解除された開き姿勢までの間で回動可能な第２のリング形成部材７Ｆ，７Ｂと、第２のリング形成部材を開き方向に付勢するばね５とを具備し、ベースが、ファイル本体に取り付けられた状態で該ファイル本体との間に空洞を形成する空洞形成部３２を備え、空洞に臨む空洞形成部の内側に、第２のリング形成部材の基端部を軸支する軸受け３３と、空洞内に配された前記ばねの一端を支持するばね受け３４を設ける。【選択図】図５
2018034364.tif 000002
【特許請求の範囲】
【請求項１】
ファイル本体に取り付けられるベースと、このベースに基端部を支持され先端部に第１の係合部分を有した第１のリング形成部材と、前記ベースに基端部を支持されるとともに先端部に第２の係合部分を有しその第２の係合部分が前記第１の係合部分に係合する閉じ姿勢からその係合が解除された開き姿勢までの間で回動可能な第２のリング形成部材と、この第２のリング形成部材を開き方向に付勢するばねとを具備してなり、
前記ベースが、ファイル本体に取り付けられた状態で該ファイル本体との間に空洞を形成する空洞形成部を備えたものであり、前記空洞に臨む前記空洞形成部の内側に、前記第２のリング形成部材の基端部を軸支する軸受けと、前記空洞内に配された前記ばねの一端を支持するばね受けが設けられているリングとじ具。
【請求項２】
前記第１のリング形成部材と前記第２のリング形成部材とによって、用紙を綴じるためのとじリングが形成されるものであり、前記とじリングが前記ベースに１対設けられている請求項１記載のリングとじ具。
【請求項３】
前記第２のリング形成部材が、基端部に前記空洞内に挿入される軸部分を備えたものであり、前記軸部分が前記ベースの軸受けにそれぞれ軸支されている請求項２記載のリングとじ具。
【請求項４】
対をなす前記第２のリング形成部材が、軸部分の先端同士を対向させた姿勢で配されるとともに、前記軸部分の先端同士が、前記両軸部分に対して偏心した中間偏心部分を備えた連結部材により一体回転可能に結合されたものであり、
前記ばねが、前記ばね受けと前記連結部材の中間偏心部分との間に介設されたものである請求項３記載のリングとじ具。
【請求項５】
前記ベースが、前記ファイル本体に取り付けられるベース本体と、このベース本体の一側縁に一体に形成された前記空洞形成部とを備えたものである請求項２、３又は４記載のリングとじ具。
【請求項６】
前記空洞形成部が、前記ベース本体の一側縁から立ち上がる起立壁と、この起立壁の上端から外側方に向かって漸次低くなりつつ延出する天壁と、この天壁の延出端から降下する降下壁とを備えたものであり、前記降下壁の下縁両端部分に前記軸受部が形成されているとともに、前記降下壁の下縁中間部分に前記ばね受けが形成されている請求項５記載のリングとじ具。
【請求項７】
対をなす表紙の基端間に背表紙を設けてなるファイル本体と、このファイル本体の一方の表紙の基端近傍部内面に取り付けられた請求項１、２、３、４、５又は６記載のリングとじ具とを具備してなるリングファイル。
【発明の詳細な説明】
【技術分野】
【０００１】
本発明は、レバー式アーチファイル等のリングファイルに関し、特にそのリングファイルを構成するリングとじ具の改良に係るものである。
【背景技術】
【０００２】
この種のリングファイルとして、表、裏の表紙及び背表紙を有するファイル本体にリングとじ具を装着したものが知られており、前記リングとじ具は、前記ファイル本体の内面側に取り付けられるベースに第１のリング形成部材と第２のリング形成部材とを相対回動可能に支持させてなり、前記各リング形成部材を相対回動させて前記リング形成部材に用紙の装脱が可能な開き姿勢と、用紙を綴じることができる閉じ姿勢とを選択的に採らせ得るように構成されている。そして、前記第１、第２のリング形成部材は、ばねにより開く方向に付勢されており、前記両リング形成部材間に配された操作レバーにより前記両リング形成部材を前記ばねの付勢力に抗しつつ閉じ姿勢にまで回動させてロックすることができるようになっている（例えば、特許文献１を参照）。
【０００３】
ところが、従来のものは、前記操作レバーのみならず、前記リング形成部材の基端部を軸支する軸受け部分や前記ばねがベース上に露出している。そのため、かかる煩雑な部分を隠すには、格別なカバー部材を追加する必要があった。
【０００４】
このような課題は、レバー式アーチファイル以外のリングファイルにも同様に存在することがあり、何らかの対策が望まれている。
【先行技術文献】
【特許文献】
【０００５】
【特許文献１】意匠登録第１２６０８３４号公報
【発明の概要】
【発明が解決しようとする課題】
【０００６】
本発明は、部品点数を増加させることなく、リング形成部材の基端部を軸支する軸受け部分やばねといった煩雑な部分を隠すことができる構成のリングとじ具、及びこのようなリングとじ具を備えたリングファイルを提供することを目的とする。
【課題を解決するための手段】
【０００７】
すなわち、本発明は次の構成をなしている。
【０００８】
請求項１に記載のリングとじ具は、ファイル本体に取り付けられるベースと、このベースに基端部を支持され先端部に第１の係合部分を有した第１のリング形成部材と、前記ベースに基端部を支持されるとともに先端部に第２の係合部分を有しその第２の係合部分が前記第１の係合部分に係合する閉じ姿勢からその係合が解除された開き姿勢までの間で回動可能な第２のリング形成部材と、この第２のリング形成部材を開き方向に付勢するばねとを具備してなり、前記ベースが、ファイル本体に取り付けられた状態で該ファイル本体との間に空洞を形成する空洞形成部を備えたものであり、前記空洞に臨む前記空洞形成部の内側に、前記第２のリング形成部材の基端部を軸支する軸受けと、前記空洞内に配された前記ばねの一端を支持するばね受けが設けられている。
【０００９】
請求項２に記載のリングとじ具は、請求項１に係る構成において、前記第１のリング形成部材と前記第２のリング形成部材とによって、用紙を綴じるためのとじリングが形成されるものであり、前記とじリングが前記ベースに１対設けられている。
【００１０】
請求項３に記載のリングとじ具は、請求項２に係る構成において、前記第２のリング形成部材が、基端部に前記空洞内に挿入される軸部分を備えたものであり、前記軸部分が前記ベースの軸受けにそれぞれ軸支されている。
【００１１】
請求項４に記載のリングとじ具は、請求項３に係る構成において、対をなす前記第２のリング形成部材が、軸部分の先端同士を対向させた姿勢で配されるとともに、前記軸部分の先端同士が、前記両軸部分に対して偏心した中間偏心部分を備えた連結部材により一体回転可能に結合されたものであり、前記ばねが、前記ばね受けと前記連結部材の中間偏心部分との間に介設されたものである。
【００１２】
請求項５に記載のリングとじ具は、請求項２、３又は４に係る構成において、前記ベースが、前記ファイル本体に取り付けられるベース本体と、このベース本体の一側縁に一体に形成された前記空洞形成部とを備えたものである。
【００１３】
請求項６に記載のリングとじ具は、請求項５に係る構成において、前記空洞形成部が、前記ベース本体の一側縁から立ち上がる起立壁と、この起立壁の上端から外側方に向かって漸次低くなりつつ延出する天壁と、この天壁の延出端から降下する降下壁とを備えたものであり、前記降下壁の下縁両端部分に前記軸受部が形成されているとともに、前記降下壁の下縁中間部分に前記ばね受けが形成されている。
【００１４】
請求項７に記載のリングファイルは、対をなす表紙の基端間に背表紙を設けてなるファイル本体と、このファイル本体の一方の表紙の基端近傍部内面に取り付けられた請求項１、２、３、４、５又は６記載のリングとじ具とを具備してなる。
【発明の効果】
【００１５】
本発明によれば、部品点数を増加させることなく、リング形成部材の基端部を軸支する軸受け部分やばねといった煩雑な部分を隠すことができる構成のリングとじ具、及びこのようなリングとじ具を備えたリングファイルを提供することができる。
【図面の簡単な説明】
【００１６】
【図１】本発明の一実施形態に係るリングファイルを示す斜視図。
【図２】同実施形態に係るリングファイルを示す平面図。
【図３】同実施形態に係るリングファイルを示す正面図
【図４】図３におけるＡ矢視図。
【図５】同実施形態に係るリングとじ具を示す一部破断した平面図。
【図６】同実施形態に係るリングとじ具を示す正面図
【図７】図５におけるＢ−Ｂ断面図。
【図８】図５におけるＣ−Ｃ断面図。
【図９】図６におけるＸ矢視図。
【図１０】同実施形態に係るリングとじ具の作用説明図。
【図１１】同実施形態に係るリングとじ具の作用説明用の断面図。
【図１２】図１０における要部を拡大して示す図。
【図１３】同実施形態に係るリングとじ具の作用説明図。
【図１４】同実施形態に係るリングとじ具の作用説明用の断面図。
【図１５】図１３におけるＤ矢視図。
【図１６】図１３におけるＥ矢視図。
【図１７】図１３におけるＦ矢視図。
【図１８】図１３におけるＧ矢視図。
【図１９】図１３におけるＨ矢視図。
【図２０】図１３におけるＩ矢視図。
【図２１】本発明の他の実施形態に係る第２のとじリング形成部材及び連結部材を示す正面図。
【発明を実施するための形態】
【００１７】
以下、本発明の一実施形態について、図面を参照しつつ説明する。
【００１８】
本実施形態は、本発明を、いわゆるレバーアーチファイルに準じた使い勝手を実現することができるリングファイルに適用した場合のものである。このリングファイルＲＦは、図１〜図４に示すように、対をなす表紙１１、１２の基端１１ａ、１２ａ間に背表紙１３を設けてなるファイル本体１と、このファイル本体１の一方の表紙１１の基端１１ａ近傍部内面に取り付けられた本発明に係るリングとじ具２とを具備してなる。
【００１９】
前記ファイル本体１は、図１及び図２に示すように、裏表紙として機能する一方の表紙１１の基端１１ａと、表表紙として機能する他方の表紙１２の基端１２ａとの間に、背表紙１３を設けてなるものであり、前記表紙１１と前記背表紙１３との境界には、主折り曲げ線部１１ｂが設けられている。前記一方の表紙１１は、基端１１ａ近傍部に設定したとじ具取付領域１１１と、このとじ具取付領域１１１に隣接させた用紙対応領域１１２とを備えたもので、前記とじ具取付領域１１１と前記用紙対応領域１１２との境界には、副折り曲げ線部１１ｃが形成されている。また、前記他方の表紙１２は、基端１２ａ近傍部に設定したとじリング保持領域１２１と、このとじリング保持領域１２１に隣接させた用紙対応領域１２２とを備えたものである。前記とじリング保持領域１２１には、後述するとじリング４Ｆ、４Ｂの自由端部を保持するためのスリット１２１ａが形成されており、このとじリング保持領域１２１と前記用紙対応領域１２２との境界には、副折り曲げ線部１２ｃが形成されている。前記背表紙１３には、指掛孔１３ａが形成されている。
【００２０】
なお、このファイルは、図２における下側を手前にして用紙の差し替え作業を行うように想定されたものであり、以下この明細書において、図２における下側を「手前側」、上側を「奥側」と称する。
【００２１】
前記リングとじ具２は、図５〜図８、図１０〜図１１及び図１３〜図１４に示すように、ファイル本体１に取り付けられるベース３と、このベース３に設けられた１対のとじリング４Ｆ、４Ｂと、前記ベース３に内蔵されたばね５とを具備してなる。
【００２２】
ここで、図５は、前記リングとじ具２を一部破断して示した平面図であり、図６は、前記リングとじ具２の正面図である。図７及び図８は、それぞれ図５におけるＢ−Ｂ線及びＣ−Ｃ線に沿った断面図である。図９は、図６における要部を拡大したＸ矢視図である。図１０は、後述する第２のリング形成部材７Ｆ、７Ｂの作動を説明するための作用説明図であり、図１１は、図１０に示した状態における図７に対応する断面図である。図１２は、図１０における要部を拡大して示す図である。図１３は、後述する第２のリング形成部材７Ｆ、７Ｂを後述する開き姿勢（Ｏ）とした状態を示す正面図であり、図１４は、図１３に示した状態における図７に対応する断面図である。図１５、図１６及び図１７は、それぞれ図１３における要部を拡大したＤ矢視図、Ｅ矢視図及びＦ矢視図である。図１８、図１９及び図２０は、それぞれ図１３における要部を拡大したＧ矢視図、Ｈ矢視図及びＩ矢視図である。
【００２３】
前記とじリング４Ｆ、４Ｂは、図６、図１０及び図１３に示すように、前記ベース３に基端部６１Ｆ、６１Ｂを支持され先端部６２Ｆ、６２Ｂに第１の係合部分６３Ｆ、６３Ｂを有した第１のリング形成部材６Ｆ、６Ｂと、前記ベース３に基端部７１Ｆ、７１Ｂを支持されるとともに先端部７２Ｆ、７２Ｂに第２の係合部分７３Ｆ、７３Ｂを有しその第２の係合部分７３Ｆ、７３Ｂが前記第１の係合部分６３Ｆ、６３Ｂに係合する図６に示すような閉じ姿勢（Ｃ）からその係合が解除された図１３に示すような開き姿勢（Ｏ）までの間で回動可能な第２のリング形成部材７Ｆ、７Ｂとにより構成されている。前記第２のリング形成部材７Ｆ、７Ｂは、前記ばね５により開き方向に付勢されている。なお、本明細書では、手前側のとじリングに符号４Ｆを付しており、奥側のとじリングに符号４Ｂを付している。また、手前側のとじリング４Ｆを構成する各要素にも原則として末尾にＦを加えた符号を付しており、奥側のとじリング４Ｂを構成する各要素にも原則として末尾にＢを加えた符号を付している。そして、手前側及び奥側のとじリング４Ｆ、４Ｂを構成する各要素において、対応するものには同一の名称を付し、また末尾のＦ又はＢを除いて同一の符号を付している。
【００２４】
詳述すれば、各とじリング４Ｆ、４Ｂの一方のリング形成部材の係合部分は、少なくとも凹溝を備えたものであるとともに、他方のリング形成部材の係合部分は、少なくとも前記凹溝に係合する凸条を備えている。なお、この実施形態においては、図９及び図１２に示すように、第１及び第２のリング形成部材６Ｆ、６Ｂ、７Ｆ、７Ｂの係合部分６３Ｆ、６３Ｂ、７３Ｆ、７３Ｂに、凸条６３１Ｆ、６３１Ｂ、７３１Ｆ、７３１Ｂと、この凸条６３１Ｆ、６３１Ｂ、７３１Ｆ、７３１Ｂに平行に隣接する凹溝６３２Ｆ、６３２Ｂ、７３２Ｆ、７３２Ｂとがそれぞれ設けられている。その上で、第１のリング形成部材６Ｆ、６Ｂの係合部分６３Ｆ、６３Ｂの凹溝６３２Ｆ、６３２Ｂに第２のリング形成部材７Ｆ、７Ｂの係合部分７３Ｆ、７３Ｂの凸条７３１Ｆ、７３１Ｂが係合するとともに、第２のリング形成部材７Ｆ、７Ｂの係合部分７３Ｆ、７３Ｂの凹溝７３２Ｆ、７３２Ｂに第１のリング形成部材６Ｆ、６Ｂの係合部分６３Ｆ、６３Ｂの凸条６３１Ｆ、６３１Ｂが係合することができるようになっている。
【００２５】
前記凹溝６３２Ｆ、６３２Ｂ、７３２Ｆ、７３２Ｂ及び前記凸条６３１Ｆ、６３１Ｂ、７３１Ｆ、７３１Ｂは、前記リング形成部材６Ｆ、６Ｂ、７Ｆ、７Ｂの先端部６１Ｆ、６１Ｂ、７１Ｆ、７１Ｂにおける軸心Ｌ１Ｆ、Ｌ１Ｂ、Ｌ２Ｆ、Ｌ２Ｂに対して直角以外の角度をなすように傾斜させて設けられている。具体的には、図１２に示すように、前記第１のリンク形成部材６Ｆ、６Ｂの係合部分６３Ｆ、６３Ｂに設けられた凹溝６３２Ｆ、６３２Ｂ及び凸条６３１Ｆ、６３１Ｂは、当該第１のリング形成部材６Ｆ、６Ｂの先端部６２Ｆ、６２Ｂにおける軸心Ｌ１Ｆ、Ｌ１Ｂに対して例えば正面視において角度θだけ傾斜させてあり、前記第２のリンク形成部材７Ｆ、７Ｂの係合部分７３Ｆ、７３Ｂに設けられた凹溝７３２Ｆ、７３２Ｂ及び凸条７３１Ｆ、７３１Ｂは、当該第２のリング形成部材７Ｆ、７Ｂの先端部７２Ｆ、７２Ｂにおける軸心Ｌ２Ｆ、Ｌ２Ｂに対して例えば正面視において角度θだけ傾斜させてある。この実施形態では、前記傾斜角度θは本実施形態では４５°に設定しているが、９０°以外の値であれば種々選択、採用が可能である。また、前記第２のリング形成部材７Ｆ、７Ｂに設けられた前記凹溝７３２Ｆ、７３２Ｂ及び前記凸条７３１Ｆ、７３１Ｂは、図１２に示すように、前記第２のリング形成部材７Ｆ、７Ｂにおける前記係合部分７３Ｆ、７３Ｂの前記閉じ姿勢（Ｃ）と前記開き姿勢（Ｏ）との間の回動軌跡Ｌ３Ｆ、Ｌ３Ｂ（より正確にはこの回動軌跡Ｌ３Ｆ、Ｌ３Ｂが前記凹溝７３２Ｆ、７３２Ｂ及び前記凸条７３１Ｆ、７３１Ｂと交わる箇所における接線Ｌ３１Ｆ、Ｌ３１Ｂ）に対して角度φをなすように設定されている。前記角度φは、本実施形態では９０°に設定しているが、９０°に近い値であれば種々変更可能である。
【００２６】
また、図９及び図１５〜図１７に示すように、手前側の第１のリング形成部材６Ｆの係合部分６３Ｆの凹溝６３２Ｆは、奥側に向けて開放された直線状の溝であり、奥側の第１のリング形成部材６Ｂの係合部分６３Ｂの凹溝６３２Ｂは、手前側に向けて開放された直線状の溝である。さらに、図９及び図１８〜図２０に示すように、手前側の第２のリング形成部材７Ｆの係合部分７３Ｆの凹溝７３２Ｆは、手前側に向けて開放された直線状の溝であり、奥側の第２のリング形成部材７Ｂの係合部分７３Ｂの凹溝７３２Ｂは、奥側に向けて開放された直線状の溝である。すなわち、対をなす第１のリング形成部材６Ｆ、６Ｂの係合部分６３Ｆ、６３Ｂの凹溝６３２Ｆ、６３２Ｂは互いに向かい合う方向に開放されており、対をなす第２のリング形成部材７Ｆ、７Ｂの係合部分７３Ｆ、７３Ｂの凹溝７３２Ｆ、７３２Ｂは互いに離反する方向に開放されている。各凸条６３１Ｆ、６３１Ｂ、７３１Ｆ、７３１Ｂは、対応する各凹溝６３２Ｆ、６３２Ｂ、７３２Ｆ、７３２Ｂの先端側に隣接させて設けられたものであり、対をなす第１のリング形成部材６Ｆ、６Ｂの係合部分６３Ｆ、６３Ｂの凸条６３１Ｆ、６３１Ｂは互いに向かい合う方向に突出しており、対をなす第２のリング形成部材７Ｆ、７Ｂの係合部分７３Ｆ、７３Ｂの凸条７３１Ｆ、７３１Ｂは互いに離反する方向に突出している。図９、図１２、図１６、図１９及び図２０に示すように、前記凸条６３１Ｆ、６３１Ｂ、７３１Ｆ、７３１Ｂの先端側には案内傾斜面６３３Ｆ、６３３Ｂ、７３３Ｆ、７３３Ｂが形成されており、第１のリング形成部材６Ｆ、６Ｂの先端部６２Ｆ、６２Ｂと第２のリング形成部材７Ｆ、７Ｂの先端部７２Ｆ、７２Ｂとを突き合わせることにより、前記両リング形成部材６Ｆ、６Ｂ、７Ｆ、７Ｂが一時的に径方向に弾性変位し前記各凸条６３１Ｆ、６３１Ｂ、７３１Ｆ、７３１Ｂが対応する各凹溝６３２Ｆ、６３２Ｂ、７３２Ｆ、７３２Ｂに係合するようになっている。なお、図１２において、案内傾斜面６３３Ｆはパターンを付した部分である。この係合を解除する場合には、第２のリング形成部材７Ｆ、７Ｂの先端側を相寄る方向につまんで当該リング形成部材７Ｆ、７Ｂを一時的に径方向に弾性変形させればよい。
【００２７】
以上説明した前記第１のリング形成部材６Ｆ、６Ｂは、ベース３の一側縁部３ａに固定された略直線状のものであり、前記第２のリング形成部材７Ｆ、７Ｂが前記ベース３の他側縁部３ｂに枢支され先端側が湾曲したものである。そのため、前記第１のリング形成部材６Ｆ、６Ｂの係合部分６３Ｆ、６３Ｂと前記第２のリング形成部材７Ｆ、７Ｂの係合部分７３Ｆ、７３Ｂとは、前記ベース３の幅方向中央から外れた位置で係合するように構成されている。詳述すれば、図５に示すように、第１のリング形成部材６Ｆ、６Ｂの基端部６１Ｆ、６１Ｂは、ベース３のリング取付孔３１ａに嵌挿され、かしめ等により固定されている。第２のリング形成部材７Ｆ、７Ｂは、図５及び図８に示すように、基端部７１Ｆ、７１Ｂに軸部分７１１Ｆ、７１１Ｂを備えたものであり、前記軸部分７１１Ｆ、７１１Ｂが、前記ベース３の後述する空洞形成部３２とファイル本体１との間に形成される空洞ＳＰ内にそれぞれ挿入されるとともに、前記ベース３の後述する軸受け３３にそれぞれ軸支されている。なお、手前側の第２のリング形成部材７Ｆの軸部分７１１Ｆと奥側の第２のリング形成部材７Ｂの軸部分７１１Ｂとは、先端同士を対向させた姿勢で軸心を一致させてベース３にそれぞれ軸支されている。前記軸部分７１１Ｆ、７１１Ｂの先端同士は、前記両軸部分７１１Ｆ、７１１Ｂに対して偏心した中間偏心部分８１を備えた連結部材８により一体回転可能に結合されている。前記両第２のリング形成部材７Ｆ、７Ｂと前記連結部材８とは、金属線材製の一体成形品である。
【００２８】
そして、図９及び図１５〜図２０に示すように、前記第１及び第２のリング形成部材６Ｆ、６Ｂ、７Ｆ、７Ｂの先端６４Ｆ、６４Ｂ、７４Ｆ、７４Ｂには、丸みをつけてある。この先端６４Ｆ、６４Ｂ、７４Ｆ、７４Ｂの丸みは、第１のリング形成部材６Ｆ、６Ｂと第２のリング形成部材７Ｆ、７Ｂとを相互に係合させてとじリング４Ｆ、４Ｂを形成した状態でそのとじリング４Ｆ、４Ｂに沿って綴じられた用紙Ｐを円滑に移動させることができるようにするためのものである。
【００２９】
前記ベース３は、図１〜図２、図５〜図８、図１０〜図１１及び図１３〜図１４に示すように、前記ファイル本体１に取り付けられるベース本体３１と、このベース本体３１の一側縁に一体に形成された前記空洞形成部３２とを備えたものである。
【００３０】
前記ベース本体３１は、前記ファイル本体１に接しリベットなどの止着具Ｓを介して当該ファイル本体１に取り付けられる取付フランジ３１１を周縁に有した扁平形状をなすもので、前後両端部分にリング取付孔３１ａを備えており、このリング取付孔３１ａに前記第１のリング形成部材６Ｆ、６Ｂの基端部６１Ｆ、６１Ｂがそれぞれ固定されている。
【００３１】
前記空洞形成部３２は、ファイル本体１に取り付けられた状態で該ファイル本体１との間に空洞ＳＰを形成する。前記空洞ＳＰに臨む前記空洞形成部３２の内側には、前記第２のリング形成部材７Ｆ、７Ｂの基端部７１Ｆ、７１Ｂを軸支する軸受け３３と、前記空洞ＳＰ内に配された前記ばね５の一端を支持するばね受け３４が設けられている。
【００３２】
詳述すると、前記空洞形成部３２は、図６〜図８、図１０〜図１１及び図１３〜図１４に示すように、前記ベース本体３１の一側縁から立ち上がる起立壁３２１と、この起立壁３２１の上端から外側方に向かって漸次低くなりつつ延出する天壁３２２と、この天壁３２２の延出端から降下する降下壁３２３とを備えたものであり、前記降下壁３２３の下縁両端部分に前記軸受け３３が形成されているとともに、前記降下壁３２３の下縁中間部分に前記ばね受け３４が形成されている。
【００３３】
前記軸受け３３は、図８に示すように、第２のリング形成部材７Ｆ、７Ｂの基端部７１Ｆ、７１Ｂの軸部分７１１Ｆ、７１１Ｂを包持するようにカールさせた部分円筒体状のもので前記降下壁３２３の下縁３２３ａに一体に設けられている。
【００３４】
前記ばね受け３４は、図７、図１１及び図１４に示すように、前記両軸受け３３間に位置させて前記空洞ＳＰの底部分に配された平板状のもので、前記降下壁３２３の下縁３２３ａから片持ち状態で延出されている。このばね受け３４は、平面視四角形状のもので、延出端３４ａの近傍にばね４を位置決めするためのスリット３４ｂを備えている。
【００３５】
以上説明したベース３は、共通の板金素材にプレス加工等を施すことにより前記ベース本体３１と前記空洞形成部３２と前記軸受け３３と前記ばね受け３４とが一体に作られたものである。すなわち、このベース３は、板金製の一体成形品である。
【００３６】
また、図２及び図５に示すように、前記ベース３の一側縁３ａ、具体的にはリング取付孔３１ａを設けた側の端縁が前記ファイル本体１の背表紙１３から離れた側に位置し、前記ベース３の他側縁３ｂ、具体的には空洞形成部３２側の端縁が前記ファイル本体１の表紙１１と背表紙１３との境界付近に位置している。
【００３７】
前記ばね５は、前記第２のリング形成部材７Ｆ、７Ｂを開き姿勢（Ｏ）に向かう方向に付勢するためのもので、前記ばね受け３４と前記連結部材８の中間偏心部分８１との間に介設されている。すなわち、このばね５は、図７、図１１及び図１４に示すように、前記ばね受け３４上に設置される静止部５１と、先端部分５２１で前記中間偏心部分８を下側から弾性付勢する可動部５２と、この可動部５２と前記静止部５１とを一体に連続させる湾曲連結部５３とを一体に備えた板ばね状のものである。
【００３８】
前記静止部５１は、前記ばね受け３４の延出端３４ａに係わり合う先端屈曲部分５１１と、前記ばね受け３４のスリット３４ｂに係わり合う中間屈曲部分５１２とを備えた平板状のものである。
【００３９】
前記可動部５２は、先端部分５２１が上方に開口する部分円筒体状をなすもので、この先端部分５２１で前記連結部材８の中間偏心部分８１を包持して付勢しうるようにしたものである。このばね５の作用により、前記第２のリング形成部材７Ｆ、７Ｂが前記開き姿勢（Ｏ）にまで回動するようになっている。なお、この開き姿勢（Ｏ）においては、前記連結部材８が前記空洞形成部３２の天壁３２２に突き当たるように設定されており、この天壁３２２による係止作用により前記第２のリング形成部材７Ｆ、７Ｂが前記開き姿勢（Ｏ）に保持されるようになっている。すなわち、前記空洞ＳＰは、前記第２のリング形成部材７Ｆ、７Ｂが閉じ姿勢（Ｃ）から開き姿勢（Ｏ）までの間で回動する際の前記連結部材８の作動を許容するような形状、具体的には正面視扇形をなすように形成されている。
【００４０】
この実施形態のリングファイルは、例えば、Ａ４判の用紙を綴じるためのもので、前記手前側及び奥側のとじリング４Ｆ、４Ｂの離間距離ｄは、一般的な２穴ファイルの穿孔ピッチに対応する値に設定されている。そして、第１のリング形成部材６Ｆ、６Ｂに綴じられた用紙Ｐの綴じ元側の端縁Ｐａがベース３の空洞形成部３２の起立壁３２１に近接するように、空洞形成部３２の位置を設定している。
【００４１】
続いて、第２のリング形成部材７Ｆ、７Ｂを開き姿勢（Ｏ）から閉じ姿勢（Ｃ）に、又はその逆方向に移動させる際の各部の挙動について説明する。
【００４２】
図１３及び図１４に示すような開き姿勢（Ｏ）にある第２のリング形成部材７Ｆ、７Ｂに、閉じ姿勢（Ｃ）に向かう方向の操作力を加えると、図１１に示すようにばね５が連結部材８の中間偏心部分８１を介して前記操作力の伝達を受けることにより弾性変形し、図１０及び図１２に示すように、第２のリング形成部材７Ｆ、７Ｂの先端部７２Ｆ、７２Ｂが第１のリング形成部材６Ｆ、６Ｂの先端部６２Ｆ、６２Ｂに衝き当たる。このとき、前記両リング形成部材６Ｆ、６Ｂ、７Ｆ、７Ｂが、前記案内傾斜面６３３Ｆ、６３３Ｂ、７３３Ｆ、７３３Ｂに案内されて一時的に径方向に弾性変位する。さらに操作力を加えると、前記各凸条６３１Ｆ、６３１Ｂ、７３１Ｆ、７３１Ｂが対応する各凹溝６３２Ｆ、６３２Ｂ、７３２Ｆ、７３２Ｂにそれぞれ対向する位置に移動し、弾性復帰力により係合する。より具体的には、第１のリング形成部材６Ｆ、６Ｂの係合部分６３Ｆ、６３Ｂの凸条６３１Ｆ、６３１Ｂが第２のリング形成部材７Ｆ、７Ｂの係合部分７３Ｆ、７３Ｂの凹溝７３２Ｆ、７３２Ｂに対向するとともに、第２のリング形成部材７Ｆ、７Ｂの係合部分７３Ｆ、７３Ｂの凸条７３１Ｆ、７３１Ｂが第１のリング形成部材６Ｆ、６Ｂの係合部分６３Ｆ、６３Ｂの凹溝６３２Ｆ、６３２Ｂに対向する位置まで移動した後、弾性復帰力によりこれら第１、第２のリング形成部材６Ｆ、６Ｂ、７Ｆ、７Ｂの係合部分６３Ｆ、６３Ｂ、７３Ｆ、７３Ｂが径方向かつ相寄る方向に移動し、第２のリング形成部材７Ｆ、７Ｂが、図５〜図９に示すような閉じ姿勢（Ｃ）となる。
【００４３】
第２のリング形成部材７Ｆ、７Ｂを相寄る方向につまんで操作力を加え、第１のリング形成部材６Ｆ、６Ｂの係合部分６３Ｆ、６３Ｂと第２のリング形成部材７Ｆ、７Ｂの係合部分７３Ｆ、７３Ｂとの係合を解除させると、前記ばね５の付勢力が前記連結部材８を介して第２のリング形成部材７Ｆ、７Ｂに伝達されることより第２のリング形成部材７Ｆ、７Ｂが開き姿勢（Ｏ）に向かって付勢される。そして、第２のリング形成部材７Ｆ、７Ｂが開き姿勢（Ｏ）に達すると、前記連結部材８の中間偏心部分８１が前記空洞形成部３２の天壁３２２に衝き当たり、第２のリング形成部材７Ｆ、７Ｂのさらなる回動が規制されるとともに、第２のリング形成部材７Ｆ、７Ｂが前記天壁３２２により開き姿勢（Ｏ）に保持される。
【００４４】
以上に述べたような本実施形態の構成によれば、前記ベース３に、ファイル本体１に取り付けられた状態で該ファイル本体１との間に空洞ＳＰを形成する空洞形成部３２を備えており、前記空洞ＳＰに臨む前記空洞形成部３２の内側に、前記第２のリング形成部材７Ｆ、７Ｂの基端部７１Ｆ、７１Ｂを軸支する軸受け３３と、前記空洞ＳＰ内に配された前記ばね５の一端を支持するばね受け３４を設けているので、格別のカバー部材を追加することなくベース３とファイル本体１との間の空洞ＳＰに軸受け３３やばね受け３４といった部分を収納し、煩雑な部分を隠すことができる。さらに、前記ばね受け３４に一端が支持される前記ばね５も前記空洞ＳＰ内に配されるので、ばね５とリングとじ具２を構成する他の部材との間に使用者の手指が挟まれる不具合の発生を抑制し安全性の向上を図ることもできる。
【００４５】
また、本実施形態の構成によれば、レバー式アーチファイルに用いられるとじ具と比較して、背表紙１３から離間した側のリング形成部材である第１のリング形成部材６Ｆ、６Ｂを背表紙１３側に寄せることができるので、とじ具２の幅寸法を無理なく縮小することができ、ひいてはファイル本体１の幅寸法も無理なく縮小することができる。
【００４６】
さらに、本実施形態の構成によれば、以下に述べるような効果を得ることもできる。
【００４７】
すなわち、レバー式アーチファイルに用いられるとじ具と異なり、第２のリング形成部材７Ｆ、７Ｂをばね５の付勢力に抗しつつ閉じ姿勢（Ｃ）にまで回動させる操作力を受け付けるための操作レバーを有していないので、ファイル本体１を開いた状態で第１及び第２のリング形成部材６Ｆ、６Ｂ、７Ｆ、７Ｂのいずれにとじられた用紙Ｐの取り外し動作も円滑に行うことができる。
【００４８】
リング形成部材６Ｆ、６Ｂ、７Ｆ、７Ｂの係合部分６３Ｆ、６３Ｂ、７３Ｆ、７３Ｂの凹溝６３２Ｆ、６３２Ｂ、７３２Ｆ、７３２Ｂ及び凸条６３１Ｆ、６３１Ｂ、７３１Ｆ、７３１Ｂを、該リング形成部材６Ｆ、６Ｂ、７Ｆ、７Ｂの先端部６２Ｆ、６２Ｂ、７２Ｆ、７２Ｂにおける軸心Ｌ１Ｆ、Ｌ１Ｂ、Ｌ２Ｆ、Ｌ２Ｂに対して直角以外の角度θをなすように傾斜させて設けているので、第１のリング形成部材６Ｆ、６Ｂと第２のリング形成部材７Ｆ、７Ｂとが係合する部分の長さをより長くすることができる。従って、簡単な構成によりこれら第１のリング形成部材６Ｆ、６Ｂと第２のリング形成部材７Ｆ、７Ｂとの係合の強度を確保することができる。このことにより、前記係合の強度を確保しつつ、第１及び第２のリング形成部材６Ｆ、６Ｂ、７Ｆ、７Ｂの先端６４Ｆ、６４Ｂ、７４Ｆ、７４Ｂに丸みをつけ、とじリング４Ｆ、４Ｂに沿って用紙Ｐを移動させる際に用紙Ｐが引っかかりにくくすることや、前記凸条６３１Ｆ、６３１Ｂ、７３１Ｆ、７３１Ｂの先端側のより広い領域に案内傾斜面６３３Ｆ、６３３Ｂ、７３３Ｆ、７３３Ｂを設け、第１のリング形成部材６Ｆ、６Ｂと第２のリング形成部材７Ｆ、７Ｂとを係合させる操作を円滑に行えるようにすることを図ることができる。特に、この実施形態では、前記凹溝６３２Ｆ、６３２Ｂ、７３２Ｆ、７３２Ｂ及び前記凸条６３１Ｆ、６３１Ｂ、７３１Ｆ、７３１Ｂを、前記軸心Ｌ１Ｆ、Ｌ１Ｂ、Ｌ２Ｆ、Ｌ２Ｂと直角以外の角度θをなすように傾斜させて設けているので、前記第１及び第２のリング形成部材６Ｆ、６Ｂ、７Ｆ、７Ｂの先端６４Ｆ、６４Ｂ、７４Ｆ、７４Ｂの丸みを大きくしても、案内傾斜面６３３Ｆ、６３３Ｂ、７３３Ｆ、７３３Ｂや凸条６３１Ｆ、６３１Ｂ、７３１Ｆ、７３１Ｂが不当に小さくなることを抑制することができる。
【００４９】
第２のリング形成部材７Ｆ、７Ｂの係合部分７３Ｆ、７３Ｂの凹溝７３２Ｆ、７３２Ｂ及び凸条７３１Ｆ、７３１Ｂを、前記係合部分７３Ｆ、７３Ｂの回動軌跡Ｌ３Ｆ、Ｌ３Ｂに直交するように設けているので、これら凹溝７３２Ｆ、７３２Ｂ及び凸条７３１Ｆ、７３１Ｂを、それぞれ第１のリング形成部材６Ｆ、６Ｂの凸条６３１Ｆ、６３１Ｂ及び凹溝６３２Ｆ、６３２Ｂにスムーズに係合させることができる。
【００５０】
前記静止部５１及び前記可動部５２を有する板ばね状の前記ばね５を、前記ばね受け３４と前記連結部材８の中間偏心部分８１との間に介設しているので、圧縮コイルスプリングを設ける場合のリテーナや、ねじりコイルスプリングを設ける場合に該ねじりコイルスプリングを巻き付けるための軸部材を設けることなく、少ない設置スペース及び少ない部品点数で第２のリング形成部材７Ｆ、７Ｂを開き姿勢（Ｏ）側に付勢するための構成を実現することができる。
【００５１】
前記空洞形成部３２を前記ベース３の前記他側縁３ｂ側すなわち前記ファイル本体１の背表紙１３に近い側の領域のみに設けており、前記一側縁３ａ側すなわち前記ファイル本体１の背表紙１３から離れた側の領域はその全域が扁平なベース本体３１を構成しているので、用紙Ｐをとじることができる量を減らすことなく上述したような構成及び該構成に係る効果を実現することができる。
【００５２】
前記空洞形成部３２とファイル本体１との間に形成される空洞ＳＰを正面視扇形に形成しており、この空洞ＳＰの内部で前記連結部材８の作動が許容されるようになっているので、前記空洞形成部３２の天壁３２２を、第２のリング形成部材７Ｆ、７Ｂが閉じ姿勢（Ｃ）から開き姿勢（Ｏ）を越えてさらに回動することを規制するストッパとして機能させることができる。従って、格別なストッパ部材を設けることなく第２のリング形成部材７Ｆ、７Ｂの回動範囲を設定することができる。
【００５３】
以上説明した実施形態においては、図示及び説明を明瞭にするために、手前側及び奥側のとじリング４Ｆ、４Ｂの第２のリング形成部材７Ｆ、７Ｂを正面視重なり合う形状を有するものとしているが、図２１に示すように、閉じ姿勢（Ｃ）となっていない状態において、奥側のとじリング４Ｂの第２のリング形成部材７Ｂの先端部７２Ｂが、手前側のとじリング４Ｆの第２のリング形成部材７Ｆの先端部７２Ｆと比較して閉じ姿勢（Ｃ）側に微少角度ψだけ先行するように第２のリング形成部材７Ｆ、７Ｂの形状を設定している。前記微少角度ψは、手前側の第１及び第２のリング形成部材６Ｆ、７Ｆを閉じ姿勢（Ｃ）とする操作を加えるだけで奥側の第１及び第２のリング形成部材６Ｂ、７Ｂも閉じ姿勢（Ｃ）となるようにするためのもので、前記リング形成部材７Ｆ、７Ｂや連結部材８の曲げ剛性やねじり剛性、あるいは第１及び第２のリング形成部材６Ｆ、６Ｂ、７Ｆ、７Ｂを係合させるときにリング形成部材が受ける抗力などを考慮して適宜設定されるものである。本実施形態では、約３°に設定してあるが、適宜な値に設定することができる。
【００５４】
なお、本発明は以上に述べた実施形態に限らない。
【００５５】
例えば、リング形成部材の係合部分の凹溝及び凸条は、直線状のものに限らず、形成方向が特定可能なものであれば、円弧等の曲線形状や、その他の形状であってもよい。
【００５６】
さらに、本発明は、ファイル本体の表紙の基端部にとじ具を設けるアーチファイル形式のファイルに限らず、ファイル本体の背表紙にとじ具を設ける態様のファイルに適用してももちろんよい。
【００５７】
加えて、上述した実施形態ではとじリングを一対設けたとじ具について説明しているが、とじリングを３つ以上設けたとじ具や、とじリングを１つだけ設けたとじ具に本発明を適用してももちろんよい。
【００５８】
また、複数設けた第２のリング形成部材の基端部に形成した軸部分の先端からそれぞれ該軸部分に対して偏心した中間偏心部分を延出させて設け、これら中間偏心部分のそれぞれがばねから弾性付勢力を受けるように構成してもよい。この場合、１つのばねが複数の中間偏心部分全てに弾性付勢力を付与するように構成してもよく、中間偏心部分ごとにばねを設け、各ばねがそれぞれ対応する中間偏心部分に弾性付勢力を付与するように構成してもよく、ばねを複数設け、それぞれのばねが１又は複数の中間偏心部分に弾性付勢力を付与するように構成してもよい。
【００５９】
さらに、ベースの構成として、上述した実施形態のように、ファイル本体に取り付けられるベース本体と、このベース本体の一側縁に一体に形成された空洞形成部とを備えるものだけでなく、ベースの下方の領域略全体が、ファイル本体との間で空洞を形成するようなものや、扁平形状をなしファイル本体に取り付けられるベース本体と、このベース本体に取り付けられファイル本体との間で空洞を形成可能な空洞形成部材とを備えるものであってもよい。
【００６０】
その他、本発明の趣旨を損ねない範囲で種々に変更してよい。
【符号の説明】
【００６１】
１…ファイル本体
２…リングとじ具
３…ベース
３２…空洞形成部
３３…軸受け
３４…ばね受け
５…ばね
６Ｆ、６Ｂ…第１のリング形成部材
６１Ｆ、６１Ｂ…基端部
６２Ｆ、６２Ｂ…先端部
６３Ｆ、６３Ｂ…係合部分
７Ｆ、７Ｂ…第２のリング形成部材
７１Ｆ、７１Ｂ…基端部
７２Ｆ、７２Ｂ…先端部
７３Ｆ、７３Ｂ…係合部分
ＳＰ…空洞
【図１】
2018034364.tif 000003
【図２】
2018034364.tif 000004
【図３】
2018034364.tif 000005
【図４】
2018034364.tif 000006
【図５】
2018034364.tif 000007
【図６】
2018034364.tif 000008
【図７】
2018034364.tif 000009
【図８】
2018034364.tif 000010
【図９】
2018034364.tif 000011
【図１０】
2018034364.tif 000012
【図１１】
2018034364.tif 000013
【図１２】
2018034364.tif 000014
【図１３】
2018034364.tif 000015
【図１４】
2018034364.tif 000016
【図１５】
2018034364.tif 000017
【図１６】
2018034364.tif 000018
【図１７】
2018034364.tif 000019
【図１８】
2018034364.tif 000020
【図１９】
2018034364.tif 000021
【図２０】
2018034364.tif 000022
【図２１】
2018034364.tif 000023